(57)【要約】      （修正有）【課題】天部用棚枠として或いは中間部用棚枠として互換性のある棚枠を備えるネスティングラックを提供する。【解決手段】ネスティングラックの本体１に、棚枠２を天部用棚枠として支持するための支持部材（図中の符号Ａ）と、中間部用棚枠として支持するための支持部材（図中の符号Ｂ）が設けられており、上記天部用棚枠として支持するための支持部材が、本体１の左前方支柱３と左後方支柱４との間、および右前方支柱５と右後方支柱６との間にそれぞれ設けられており、上記中間部用棚枠として支持するための支持部材が、本体１の左前方支柱３および右前方支柱５の前面３ａ，５ａと、左後方支柱４と右後方支柱６との間と、に設けられている。【選択図】図１
0003194349.tif 000002
【実用新案登録請求の範囲】
【請求項１】
該ネスティングラックの本体であって、複数の該本体を入れ子式に収納できるように構成された本体と、
該ネスティングラックの天部用棚枠として或いは中間部用棚枠として互換性のある棚枠と、
を備え、
上記天部用棚枠を支持するための支持部材が、上記本体の左前方支柱と左後方支柱との間、および右前方支柱と右後方支柱との間をそれぞれ架橋するように水平方向に延在し、
上記中間部用棚枠を支持するための支持部材が、上記本体の左右の前方支柱のそれぞれの前面と、左右の後方支柱間とに設けられていて、
上記棚枠は、上記天部用棚枠を支持するための支持部材に上方から係合できるように構成された係合部を有し、さらには、上記本体の左右の前方支柱のそれぞれの前面に設けられた支持部材に支持されるように構成された前方被支持部を有するとともに、上記本体の左右の後方支柱間に設けられた支持部材に支持されるように構成された後方被支持部を有することを特徴とするネスティングラック。
【請求項２】
上記天部用棚枠を支持するための支持部材は、「Λ」形の断面形状を有する角柱部材からなり、
上記棚枠の上記係合部は、「Λ」形の断面形状を有し、上記前方被支持部は、該棚枠の外方へ突出している突起部材からなり、上記後方被支持部は、該ネスティングラックの左右の後方支柱間に設けられた支持部材に係合することができるフック部材からなることを特徴とする請求項１に記載のネスティングラック。
【考案の詳細な説明】
【技術分野】
【０００１】
本考案は、該ネスティングラックの天部用棚枠として或いは中間部用棚枠として互換性のある棚枠を備えるネスティングラックに関する。
【背景技術】
【０００２】
ネスティングラックの本体であって、複数の該本体を入れ子式に収納（ネスティング）できるように構成された本体を備えるネスティングラックは、多機能な棚として広く使用されている。例えば、倉庫内等で使用される場合、商品を載置した棚を上下に積み重ねることができるので、上方のスペースを有効に活用することができる。ネスティングラックはまた、パレットの機能を有することにより、フォークリフトを用いて簡単に移動させることができる。ネスティングラックを使用していないときには、入れ子式に積み上げて収納することができる。
【０００３】
このようなネスティングラックは、パレットを載置するための棚枠を備えており、この棚枠の上に、商品などの物品を載せるためのパレットを置くことができる。
【０００４】
また、ネスティングラックの天部に天部用棚枠をセットすることにより、該ネスティングラックの天部にパレットを置くことが可能となり、さらには、該ネスティングラックの中間部に中間部用棚枠をセットすることにより、該ネスティングラックの中間部にパレットを置くことが可能となる。
【０００５】
従来のネスティングラックにおいては、天部用棚枠の構造と中間部用棚枠との構造が互いに異なっていたことから、ネスティングラックの数と同数の天部用棚枠と中間部用棚枠をそれぞれ別々に用意する必要があった。
【先行技術文献】
【特許文献】
【０００６】
【特許文献１】特開２００２−１９９３１号公報
【考案の概要】
【考案が解決しようとする課題】
【０００７】
本考案は、天部用棚枠として或いは中間部用棚枠として互換性のある棚枠を備えたネスティングラックを提供することを目的とする。本明細書に記載の「ネスティングラック」は、ポータブルラックの機能を持つ棚のことであり、複数のネスティングラックの本体を互いに入れ子式に組み込んで収納することができ、その収納の形が鳥の巣に似ていることから「ネスティングラック」と呼ばれている。ネスティングラックは、保管物を高積みで保管することができるので、限られたスペースを有効に活用できるという利点があり、安定性にも優れている。ネスティングラックは、鉄などの金属、スチールまたは硬い樹脂から形成され得る。
【課題を解決するための手段】
【０００８】
本考案のネスティングラックは、複数の該ネスティングラックの本体を入れ子式に収納できるように構成された本体と、該ネスティングラックの天部用棚枠として或いは中間部用棚枠として互換性のある棚枠と、を備え、上記本体の天部用棚枠の支持部材が、該本体の左前方支柱と左後方支柱との間、および右前方支柱と右後方支柱との間にそれぞれ設けられているとともに、中間部用棚枠の支持部材が、該本体の左右の前方支柱のそれぞれの前面と、左右の後方支柱間とに設けられていて、上記棚枠は、上記天部用棚枠を支持するための支持部材に上方から係合できるように構成された係合部を有し、さらには、上記本体の左右の前方支柱のそれぞれの前面に設けられた支持部材に支持されるように構成された前方被支持部を有するとともに、上記本体の左右の後方支柱間で水平方向に延在する後方支柱に支持されるように構成された後方被支持部を有することを特徴とする。
【０００９】
天部用棚枠を支持するための支持部材は、「Λ」形の（逆Ｖ字形）の断面形状を有する角柱部材からなり、該角柱部材は、ネスティングラックの左前方支柱と左後方支柱との間、および右前方支柱と右後方支柱との間をそれぞれ架橋するように水平方向に延在し、これら２本の角柱部材の前端部が２本の前方支柱の内方寄りに配置されているとともに、これら２本の角柱部材の後端部が後方支柱上に載置されるように配置されているとよい。
【００１０】
また、中間部用棚枠を支持するための支持部材は、ネスティングラックの左右の前方支柱のそれぞれの前面に設けられた突起と、左右の後方支柱間に設けられた梁と、であるとよい。
【００１１】
さらには、上記棚枠の係合部は、「Λ」形の断面形状を有し、上記前方被支持部は、棚枠の外方へ突出している突起部材からなり、上記後方被支持部は、ネスティングラックの左右の後方支柱間に設けられた支持部材に係合することができるフック部材からなるとよい。
【考案の効果】
【００１２】
本考案のネスティングラックは、該ネスティングラックの天部用棚枠として或いは中間部用棚枠として互換性のある棚枠を備えているため、天部用棚枠および中間部用棚枠の一方の棚枠が不足している場合にも互いに転用できるという利点を有する。
【図面の簡単な説明】
【００１３】
【図１】本考案のネスティングラックの一例を示す斜視図。
【図２】棚枠が本体の天部にセットされている状態を示す斜視図。
【図３】棚枠が本体の中間部にセットされている状態を示す斜視図。
【図４】棚枠が本体の天部と中間部の両方にセットされている状態を示す斜視図。
【図５】棚枠の一例を示す斜視図。
【図６】ネスティングラックの使用状態の一例を示す斜視図。
【図７】ネスティングラックの収納状態を示す斜視図。
【考案を実施するための形態】
【００１４】
本考案のネスティングラックについて添付の図を参照しながら説明する。
【００１５】
図１は、本考案のネスティングラックの一例を示す。図１（ａ）は、本考案のネスティングラックの本体１を示しており、図１（ｂ）は、天部用棚枠として或いは中間部用棚枠として互換性のある棚枠２を示している。なお、図１（ｂ）に示される実施例においては、棚枠２の梁が「キ」字形の形状に形成されているが、この形状に限定されない。他の実施例においては、棚枠２の梁が「井」字形の形状に形成されている場合もある。
【００１６】
棚枠２に対して、ネスティングラックの本体１には、棚枠２を天部用棚枠として支持するための支持部材（図中の符号Ａ）と、中間部用棚枠として支持するための支持部材（図中の符号Ｂ）が設けられており、上記天部用棚枠として支持するための支持部材が、本体１の左前方支柱３と左後方支柱４との間、および右前方支柱５と右後方支柱６との間にそれぞれ設けられており、上記中間部用棚枠として支持するための支持部材が、本体１の左前方支柱３および右前方支柱５の前面３ａ，５ａと、左後方支柱４と右後方支柱６との間と、に設けられている。
【００１７】
一実施例においては、本体１の天部用棚枠を支持する支持部材Ａは、「Λ」形の断面形状を有する角柱部材Ａ１からなり、これらの角柱部材Ａ１は、左前方支柱３と左後方支柱４との間、および右前方支柱５と右後方支柱６との間をそれぞれ架橋するように水平方向に延在し、角柱部材Ａ１の各々の前端部が各前方支柱３，５の内側と接するように配置されているとともに、角柱部材Ａ１の後端部が後方支柱４，６上に載置されている。天部用棚枠を支持するための支持部材Ａの形状は、種々の適切な形状に形成され得る。
【００１８】
一実施例においては、本体１の中間部用棚枠２を支持するための支持部材Ｂは、本体１の左前方支柱３および右前方支柱５の前面３ａ，５ａに設けられている突起Ｂ１と、左後方支柱４と右後方支柱６との間に設けられている梁Ｂ２と、からなる。
【００１９】
棚枠２は、本体１の左前方支柱３と左後方支柱４との間、および右前方支柱５と右後方支柱６との間をそれぞれ架橋するように設けられている角柱部材Ａ１に、上方から係合できるように構成された係合部７を有し、さらには、本体１の左前方支柱３と右前方支柱５の前面３ａ，５ａに設けられている突起Ｂ１に支持されるように構成された前方被支持部８を有するとともに、本体１の左後方支柱４と右後方支柱６との間に設けられている梁Ｂ２に支持されるように構成された２つの後方被支持部９を有する。
【００２０】
本体１に対応する棚枠２は、「Λ」形の断面形状を有する係合部７を備え、該棚枠２の前方被支持部８は、棚枠２の外方へ突出している突起部材からなり、該棚枠２の後方被支持部９は、適切な形状のフック部材からなる（図５の符号９を参照）。係合部７、前方被支持部８、後方被支持部９の形状は、種々の適切な形状に形成され得る。例えば、棚枠の前方被支持部８の形状が鉤形つまり「形に形成されている場合、ネスティングラックの本体１の支持部材Ｂが上面の開口された直方体の箱の形状に形成されていれば、直方体の箱が、前方被支持部８の「形の縦方向に延びている部分を収容することで、棚枠２を支持することができる。
【００２１】
本実施例においては、中間部用棚枠２を支持するための支持部材Ｂは、１つの高さ位置に配置されているが、棚枠２の高さを様々に変えることができるように複数の高さ位置に配置されている場合もある。
【００２２】
図２は、本体１の天部に棚枠２がセットされている状態を示している。「Λ」形の断面形状を有する係合部７と本体１の角柱部材Ａ１（図１参照）とが互いに係合している。
【００２３】
図３は、本体１の中間部に棚枠２がセットされている状態を示している。棚枠２の前方被支持部８が本体１の突起Ｂ１に支持されている一方で、棚枠２の後方被支持部９は、本体１の梁Ｂ２に支持されている。
【００２４】
図４は、本体１の天部と中間部のそれぞれに棚枠２がセットされている状態を示す。図６は、ネスティングラックの使用状態の一例を示し、２台の本体１が隣り合わせに並べられている。図７は、複数のネスティングラックの収納状態を示し、本体１が入れ子式に積み重ねられている（図７においては、簡潔に示すために、本体１が２台だけ積み重ねられている）。
【符号の説明】
【００２５】
１…本体
２…棚枠
３…左前方支柱
３ａ…前面
４…左後方支柱
５…右前方支柱
５ａ…前面
６…右後方支柱
７…係合部
８…前方被支持部
９…後方被支持部
Ａ…支持部材
Ａ１…角柱部材
Ｂ…支持部材
Ｂ１…突起
Ｂ２…梁
【図１】
0003194349.tif 000003
【図２】
0003194349.tif 000004
【図３】
0003194349.tif 000005
【図４】
0003194349.tif 000006
【図５】
0003194349.tif 000007
【図６】
0003194349.tif 000008
【図７】
0003194349.tif 000009